(57)【要約】      （修正有）【課題】照度調節が可能なリレーを利用したＬＥＤ照明灯を提供する。【解決手段】外部から第１電源を提供され、第１リレー乃至第２リレーを含む第１リレー部と、外部から第２電源又は制御信号を提供され、第１リレーを駆動させる第１抵抗、第２リレーを駆動させる第２抵抗を有する。さらに、第１リレー部に第１電源が供給された状態で第２電源が供給されると、第１リレー部に供給された電源を遮断し、第１リレー部に第１電源が供給された状態で制御信号が入力されると、第１電源を供給される第２リレー部と、第１リレー部と接続され、第１リレー部から伝達されたＡＣ電圧を有する電流をＤＣ電圧を有する電流に変換する第１ＳＭＰＳと、第２リレー部と接続され、第２リレー部から伝達されたＡＣ電圧を有する電流をＤＣ電圧を有する電流に変換する第２ＳＭＰＳと、を有する。【選択図】図３
2018037396.tif 000002
【特許請求の範囲】
【請求項１】
外部から第１電源を提供され、第１リレー乃至第２リレーを含む第１リレー部；
外部から第２電源又は制御信号を提供され、第１リレーを駆動させる第１抵抗、第２リレーを駆動させる第２抵抗を含み、
前記第１リレー部に第１電源が供給された状態で第２電源が供給されると、前記第１リレー部に供給された電源を遮断し、前記第１リレー部に第１電源が供給された状態で制御信号が入力されると、前記第１電源を供給される第２リレー部；
前記第１リレー部と接続され、第１リレー部から伝達されたＡＣ電圧を有する電流をＤＣ電圧を有する電流に変換する第１ＳＭＰＳ；及び
前記第２リレー部と接続され、第２リレー部から伝達されたＡＣ電圧を有する電流をＤＣ電圧を有する電流に変換する第２ＳＭＰＳを含むことを特徴とする照度調節が可能なリレーを利用したＬＥＤ照明灯。
【請求項２】
前記ＬＥＤ照明灯は、第１グループに含まれるＬＥＤ素子、第２グループに含まれるＬＥＤ素子を含み、
前記第１ＳＭＰＳは前記第１グループに含まれるＬＥＤ素子と接続され、前記第２ＳＭＰＳは前記第２グループに含まれるＬＥＤ素子と接続されることを特徴とする請求項１に記載の照度調節が可能なリレーを利用したＬＥＤ照明灯。
【請求項３】
前記第１リレー部は、
一側は前記第１電源と接続され、他側は前記第１ＳＭＰＳと接続される第１リレーを含む第１電線；
一側は前記第１電源と接続され、他側は前記第２ＳＭＰＳと接続される第２リレーを含む第２電線；
前記第１電線と第２電線は並列に接続されることを特徴とする請求項２に記載の照度調節が可能なリレーを利用したＬＥＤ照明灯。
【請求項４】
前記第２リレー部は、
一側は前記第２電源と接続され、他側は前記第２リレーに接続される第３電線；
一側は前記第２電源と接続され、他側は第１抵抗及び第２抵抗が接続される第４電線を含み、
前記第２電源を介して前記第２リレー部に電流が供給されると、
前記第１抵抗によって前記第１リレーが駆動して前記第１ＳＭＰＳに電流供給を遮断し、
前記第２抵抗によって前記第２リレーが駆動して前記第２電線による電流供給が遮断され、前記第３電線によって前記第２ＳＭＰＳに電流を供給することを特徴とする請求項３に記載の照度調節が可能なリレーを利用したＬＥＤ照明灯。
【請求項５】
外部から第１電源又は第２電源を供給されるか、または、制御信号を提供され、
第１電源が供給された状態で第２電源が供給されると供給された前記第１電源を遮断し、前記第１電源が供給された状態で前記制御信号が入力され、供給された前記第１電源を維持するリレー部；
前記リレー部と接続され、前記リレー部から伝達されたＡＣ電圧を有する電流をＤＣ電圧を有する電流に変換するＳＭＰＳ；及び
ＬＥＤ照明灯は、第１グループに含まれるＬＥＤ素子、第２グループに含まれるＬＥＤ素子を含み、
前記第１グループに含まれるＬＥＤ素子は第１電源から供給された電源によって点灯し、第２グループに含まれたＬＥＤ素子は第２電源から供給された電源によって点灯するか、または前記制御信号によって第１電源から供給された電源によって点灯されることを特徴とする照度調節が可能なリレーを利用したＬＥＤ照明灯。
【請求項６】
前記リレー部は、
前記第１電源と接続される第５電線；
前記第２電源と接続される第６電線；
前記第２電源と接続される第３抵抗；及び
前記第５電線と第６電線の終端に位置する第３リレーを含むことを特徴とする請求項５に記載の照度調節が可能なリレーを利用したＬＥＤ照明灯。
【請求項７】
奇数列に奇数番目に配置されるか、または偶数列に偶数番目に配置された第１グループに含まれた第１グループのＬＥＤ素子；及び
前記奇数列に偶数番目に配置されるか、または前記偶数列に奇数番目に配置された第２グループのＬＥＤ素子を含むＰＣＢボードを含み、
前記ＰＣＢボードは第１グループのＬＥＤ素子に電流を供給する第１配線、第２配線、第５配線及び第６配線を含むか、または、
前記第２グループのＬＥＤ素子に電流を供給する前記第２配線、第３配線、第４配線及び前記第５配線を含むことを特徴とする請求項２乃至５のいずれか一項に記載の照度調節が可能なリレーを利用したＬＥＤ照明灯。
【発明の詳細な説明】
【技術分野】
【０００１】
本発明は、照度調節が可能なリレーを利用したＬＥＤ照明灯に関し、さらに詳しくは、リレーを利用して少なくとも２つのグループに分割されたＬＥＤ素子に電流を供給する方案に関する。
【背景技術】
【０００２】
一般に使用される照明器具は大半が蛍光灯を使用しており、かかる蛍光灯は長時間使用時に目の疲労感を多く感じ、照明時の発熱によって周辺温度を上昇させて高い電力損失を招く短所がある。最近では蛍光灯を代替できるエルイーディー（ＬＥＤ）照明灯が開発され、多く使用されている。
【０００３】
ＬＥＤ照明灯は電力を光に変換させる効率が優秀で、電力対比照明の効率が優秀で経済性に優れ低電圧でも所望の光量が得られ、今後、その使用がさらに増加するものと予想される。
【０００４】
現在、ＬＥＤ照明灯の場合、ＬＥＤ照明灯を構成するＬＥＤ素子を複数のグループに分割し、分割されたグループに含まれたＬＥＤ素子毎に駆動する方案が論議されている。
【０００５】
付け加えて説明すると、ＬＥＤ照明灯に照度調節技術を適用した場合、従来はＬＥＤ素子に提供する電流の大きさを調節していたが、このようにＬＥＤ素子に提供する電流の強度を利用した場合、ノイズの特性による微細な揺れによって光がちらつきフリッカー現象が発生して目の疲労を感じ、目眩と頭痛の発生の原因となる。
【０００６】
一般的なＬＥＤ照度調節方式は、コンバータから出る１つのパワーで通信値の信号を受けて供給されるもので、ＬＥＤコンバータにストレスを与えるため、力率が落ち製品寿命の低下を招く。
【０００７】
したがって、現在、ＬＥＤ照明灯を構成するＬＥＤ素子を複数のグループに分割し、分割されたグループ毎に電流を供給する方式の照度調節技術が提案されている。
【０００８】
その他にも、従来のＬＥＤ照明システムは、ＬＥＤ照明機器の容量、数量及び位置によって通信制御が異なり、統合して制御する場合は、通信設備によって製品と設備の価格が上昇し、設置が複雑で互換性が落ちる短所がある。
【先行技術文献】
【特許文献】
【０００９】
【特許文献１】大韓民国公開特許第２０１４−０１２３８１２号
【特許文献２】大韓民国公開特許第２０１４−０１００５７２号
【発明の概要】
【発明が解決しようとする課題】
【００１０】
本発明が解決しようとする課題は、リレーを利用して少なくとも２つのグループに分割されたＬＥＤ素子に電流を供給する方案を提案することにある。
【００１１】
本発明が解決しようとする他の課題は、ＬＥＤ照明灯の力率及びフリッカー現象を改善できる方案を提案することにある。
【００１２】
本発明が解決しようとするさらに他の課題は、リレーを利用してＬＥＤ素子をグループ毎に制御する方案を提案することにある。
【００１３】
本発明が解決しようとするさらに他の課題は、所定の電力に比べて相対的に多くの電力が消耗されることを遮断する方案を提案することにある。
【００１４】
本発明が解決しようとするさらに他の課題は、外部から電源供給が遮断される場合、電力（エネルギー）保存装置から電源を供給されてＬＥＤ素子を点灯する方案を提案することにある。
【００１５】
本発明が解決しようとするさらに他の課題は、非常時、特定のＬＥＤ素子だけを点灯して非常状態であることを認知させる方案を提案することにある。
【課題を解決するための手段】
【００１６】
そのために、本発明の照度調節が可能なリレーを利用したＬＥＤ照明灯は、外部から第１電源を提供され、第１リレー乃至第２リレーを含む第１リレー部と、外部から第２電源又は制御信号を提供され、第１リレーを駆動させる第１抵抗、第２リレーを駆動させる第２抵抗を含み、前記第１リレー部に第１電源が供給された状態で第２電源が供給されると、前記第１リレー部に供給された電源を遮断し、前記第１リレー部に第１電源が供給された状態で制御信号が入力されると、前記第１電源を供給される第２リレー部と、前記第１リレー部と接続され、第１リレー部から伝達されたＡＣ電圧を有する電流をＤＣ電圧を有する電流に変換する第１ＳＭＰＳと、前記第２リレー部と接続され、第２リレー部から伝達されたＡＣ電圧を有する電流をＤＣ電圧を有する電流に変換する第２ＳＭＰＳと、を含む。
【発明の効果】
【００１７】
本発明による照度調節が可能なリレーを利用したＬＥＤ照明灯は、リレーを利用して少なくとも２つのグループに分割されたＬＥＤ素子に電流を供給する。したがって、本発明のＬＥＤ照明灯は力率及びフリッカー現象が改善される長所がある。
【００１８】
また、本発明によるＬＥＤ照明灯は、ユーザがリレーを利用してグループに分割されたＬＥＤ素子毎に点灯できるので電力が無駄に浪費されることを防止できる。
【００１９】
その他にも、本発明は、外部から電源供給が遮断される場合、電力（エネルギー）保存装置から電源を供給されてＬＥＤ素子を点灯することができ、非常時、特定のＬＥＤ素子だけを点灯して非常状態であることを認知させる効果がある。
【図面の簡単な説明】
【００２０】
【図１】本発明の一実施形態に係るＬＥＤ照明灯を示す図である。
【図２】本発明の一実施形態に係るＬＥＤ照明システムを示す図である。
【図３】本発明の一実施形態に係るリレー部の構成を示す図である。
【図４】本発明の一実施形態に係るＳＭＰＳの構成を示す図である。
【図５】本発明の他の実施形態に係るＬＥＤ照明灯を示す図である。
【図６】本発明の他の実施形態に係るＬＥＤ照明システムを示す図である。
【図７】本発明の他の実施形態に係るリレー部の構成を示す図である。
【図８】本発明の一実施形態に係るＬＥＤ照明灯を構成するＰＣＢボードを示す図である。
【図９】本発明の一実施形態に係る第１グループに含まれたＬＥＤ素子及びＬＥＤ素子に電流を供給する電線のパターンを示す図である。
【図１０】本発明の一実施形態に係る第２グループに含まれたＬＥＤ素子及びＬＥＤ素子に電流を供給する電線のパターンを示す図である。
【発明を実施するための形態】
【００２１】
上述した、そして追加的な本発明の態様は、添付された図面を参照して説明される好ましい実施形態によってより明白になるであろう。以下、本発明のかかる実施形態によって当業者が容易に理解して再現できるように詳細に説明する。
【００２２】
図１は、本発明の一実施形態に係るＬＥＤ照明灯を示す。以下、図１を用いて本発明の一実施形態に係るＬＥＤ照明灯を構造について詳細に述べる。
【００２３】
図１によれば、ＬＥＤ照明灯は２つのグループで構成されている。付け加えて説明すると、ＬＥＤ照明灯は長方形の形態で構成され、複数の列で構成され、各列にＬＥＤ素子が配置される。
【００２４】
ＬＥＤ照明灯は奇数列と偶数列にそれぞれ配置されるＬＥＤ素子を含む。第１ＬＥＤ素子グループは、奇数列と偶数列に配置された全てのＬＥＤ素子が含まれ、第２ＬＥＤ素子グループは、奇数列に配置されたＬＥＤ素子のうち偶数番目に位置するＬＥＤ素子と偶数列に配置されたＬＥＤ素子のうち奇数番目に位置するＬＥＤ素子が含まれる。
【００２５】
付け加えて説明すると、第１ＬＥＤ素子グループは第２ＬＥＤ素子グループに含まれたＬＥＤ素子を含む。
【００２６】
したがって、第１ＬＥＤ素子グループに含まれたＬＥＤ素子を点灯するためのＳＭＰＳと第２ＬＥＤ素子グループに含まれたＬＥＤ素子を点灯するためのＳＭＰＳがそれぞれ求められる。
【００２７】
特に、本発明のＬＥＤ照明灯の各グループに含まれるＬＥＤ素子は、ＬＥＤ照明灯の全体に均一に形成する。すなわち、第１グループに含まれるＬＥＤ素子は、ＬＥＤ照明灯に均一に形成され、第２グループに含まれるＬＥＤ素子は、ＬＥＤ照明灯に均一に形成される。このように、各グループに含まれるＬＥＤモジュールをＬＥＤ照明灯に均一に形成するために、ＬＥＤ素子に電流を供給する配線の一部は、ジグザグ形状で形成される。このように、ＬＥＤ照明灯内でＬＥＤ素子を均一に形成することによってＬＥＤ照明灯は全ての領域で均一な照度を有する。
【００２８】
図２は、本発明の一実施形態に係るＬＥＤ照明システムを示す。以下、図２を用いて本発明の一実施形態に係る他のＬＥＤ照明システムについて詳細に述べる。
【００２９】
図２によれば、ＬＥＤ照明システムは、リレー部、ＳＭＰＳ、及びＬＥＤ素子を含む。無論、上述した構成以外にも他の構成が本発明で提案するＬＥＤ照明システムに含まれることができる。
【００３０】
リレー部１２０は、外部から供給された電源をＳＭＰＳ１３０に伝達する。リレー部１２０の詳細な動作については図３で詳細に述べる。第１リレー部１２０−１は外部から第１電源を供給され、第２リレー部１２０−２は外部から第２電源を供給される。無論、第２リレー部１２０−２は第２電源が供給されない場合も外部から提供された制御信号によって駆動される。
【００３１】
ＳＭＰＳ１３０は、外部に供給される交流電流を直流電流に変換させた後、ＬＥＤ素子１４０の条件に合った電圧に変換させてＬＥＤ素子１４０に供給する。
【００３２】
ＳＭＰＳ１３０は、ＳＭＰＳ１３０駆動のためのバッテリが含まれる。特に、本発明のＳＭＰＳは第１ＳＭＰＳ１３０−１乃至第２ＳＭＰＳ１３０−２を含む２つで構成され、各ＳＭＰＳ１３０は、対応するグループに含まれたＬＥＤ素子１４０と接続される。第１ＳＭＰＳ１３０−１は第１グループに含まれたＬＥＤ素子１４０−１と接続され、第２ＳＭＰＳ１３０−２は第２グループに含まれたＬＥＤ素子１４０−２と接続される。したがって、第１ＳＭＰＳ１３０−１に電源が供給された場合、第１グループに含まれたＬＥＤ素子１４０−１が点灯し、第２ＳＭＰＳ１３０−２に電源が供給された場合、第２グループに含まれたＬＥＤ素子１４０−２が点灯する。
【００３３】
図３は、本発明の一実施形態に係るリレー部の構成を示す図である。以下、図３を用いて本発明の一実施形態に係るリレー部の構成について詳細に述べる。
【００３４】
図３によれば、リレー部は、第１リレー部乃至第２リレー部を含む。無論、ＳＭＰＳの個数が増加する場合、リレー部に含まれるリレーの個数も増加する。
【００３５】
第１リレー部１２０−１は第１電源と接続され、第２リレー部は第２電源又は制御信号と接続される。
【００３６】
第１リレー部１２０−１は第１リレー１２０ａ乃至第２リレー１２０ｂを含む。第１リレー部１２０−１は外部から第１電源（電流）を供給され、電流を供給される電線は並列形態に分岐し、分岐された電線のうち１つの第１電線は第１ＳＭＰＳと接続され、残りの１つの電線である第２電線は第２ＳＭＰＳと接続される。
【００３７】
第１リレー１２０ａは第１電線上に形成され、第２リレー１２０ｂは第２電線上に形成される。
【００３８】
第２リレー部１２０−２は、外部から第２電源（電流）を供給され、第１抵抗１２０ｃ及び第２抵抗１２０ｄを含む。また、第２リレー部１２０−２は外部から制御信号１２０ｅを入力される。第１抵抗１２０ｃと第２抵抗１２０ｄは並列に接続され、制御信号１２０ｅは第１抵抗１２０ｃと接続される。
【００３９】
第２電源（電流）が供給される電線は並列に分岐し、分岐された第３電線は第２リレー１２０ｂと接続される。また、分岐された第４電線は第１抵抗１２０ｃ及び第２抵抗１２０ｄと接続される。
【００４０】
外部から第１電源が第１リレー部に供給されると、第１リレー乃至第２リレーは接続され、これにより、第１ＳＭＰＳ及び第２ＳＭＰＳに電流が供給される。第１ＳＭＰＳ及び第２ＳＭＰＳに電流が供給されると、第１ＳＭＰＳと接続された第１グループに含まれたＬＥＤ素子が点灯し、第２ＳＭＰＳと接続された第２グループに含まれたＬＥＤ素子が点灯する。
【００４１】
外部から第２電源が第２リレー部に供給されると、第１抵抗に流れる電流によって第１リレーが短絡され第１ＳＭＰＳに電流供給が遮断される。第１ＳＭＰＳに電流供給が遮断されると、第１グループに含まれたＬＥＤ素子は消灯される。
【００４２】
また、外部から第２電源が第２リレー部に供給されると、第２抵抗に流れる電流によって第２リレーは第３電線を第２ＳＭＰＳと接続する。すなわち、第２ＳＭＰＳは第１電源から電流を供給されるのでなく第２電源から電流を供給される。したがって、第２ＳＭＰＳと接続された第２グループに含まれたＬＥＤ素子は点灯される。
【００４３】
このように、本発明は、第２電源から電流を供給されると、自動的に第１電源から電流供給が遮断される。また、第２電源から電流供給が遮断されると、自動的に第１電源から電流を供給される。
【００４４】
上述のように、第１ＳＭＰＳは第１ＬＥＤグループと接続され、第２ＳＭＰＳは第２ＬＥＤグループと接続される。また、第１ＬＥＤグループを構成するＬＥＤ素子の個数と第２ＬＥＤグループを構成するＬＥＤ素子の個数を異ならせることによって簡単に照度調節が可能なＬＥＤ照明灯を構成できる。無論、図１に示すように、第２ＬＥＤグループを構成するＬＥＤ素子は第１ＬＥＤグループを構成するＬＥＤ素子に含まれることもできる。
【００４５】
また、本発明は、第２電源が供給されない状態で第２リレー部に制御信号が入力されると、制御信号によって第１抵抗１２０ｃが駆動される。第１抵抗の駆動によって第１リレーが短絡され第１ＳＭＰＳに電流供給が遮断される。第１ＳＭＰＳに電流供給が遮断されると、第１グループに含まれたＬＥＤ素子は消灯される。
【００４６】
しかし、制御信号によって第２抵抗は駆動せず、したがって、第２リレーは第２電線に供給される電源を第２ＳＭＰＳと接続する。すなわち、第２ＳＭＰＳは第１電源から電流を供給され、第２ＳＭＰＳと接続された第２グループに含まれたＬＥＤ素子は点灯される。
【００４７】
このように、制御信号によって第１電源を用いて第２グループに含まれたＬＥＤ素子を点灯する。
【００４８】
図３では明示的に図示されていないが、第１リレー、第２リレーの前端にヒューズを接続できる。ヒューズは第１リレー又は第２リレーに過負荷が供給されることを遮断する。
【００４９】
以下、本発明によるリレーを利用したＬＥＤ照明灯の活用案について述べる。
【００５０】
本発明によるリレーを利用したＬＥＤ照明灯は、第１電源を介してＬＥＤ素子を点灯できる。上述のように、第１電源を介してＬＥＤ素子を点灯した場合、第１グループに含まれたＬＥＤ素子及び第２グループに含まれたＬＥＤ素子が点灯される。このような状態で、他の電気製品によって消費される電力が所定の電力を超過した場合、本発明は、第２電源供給によってＬＥＤ素子の一部を消灯できる。このように、第１ＬＥＤグループに含まれるＬＥＤ素子のみが点灯される場合、ＬＥＤ照明灯で消費される電力は減少され、これによって消費される電力を低減することができる。
【００５１】
このように、本発明は、リレー部に供給される電源を調節してＬＥＤ照明灯で消費される電力を調節することができ、これによって、消費される電力を所定の電力以下になるようにする。
【００５２】
図４は、本発明の一実施形態に係るＳＭＰＳの構成を示す図である。以下、図５を用いて本発明の一実施形態に係るＳＭＰＳの構成について詳細に述べる。
【００５３】
図４によれば、ＳＭＰＳはノイズフィルタ、入力整流平滑回路、ＤＣ−ＤＣコンバータ、出力整流平滑回路、フィードバック制御回路及び保護回路で構成される。無論、上述の構成以外に他の構成が本発明で提案するＳＭＰＳに含まれることができる。
【００５４】
ノイズフィルタ１３０ａは、入力された電流からノイズ部分を除去し、ノイズが除去された電流は入力整流平滑回路１３０ｂに伝達される。
【００５５】
入力整流平滑回路１３０ｂは、ノイズが除去された電流（ＡＣ電圧を有する）をＤＣ電圧に変換する。
【００５６】
ＤＣ−ＤＣコンバータ１３０ｃは、入力整流平滑回路１３０ｂによって変換されたＤＣ電圧を所定の電圧を有するように変換する。一般に、ＤＣ−ＤＣコンバータ１３０ｃは、主スイッチと環流ダイオード、２次低域通過フィルタであるＬＣフィルタなどで構成される。
【００５７】
出力整流平滑回路１３０ｄは、ＤＣ−ＤＣコンバータによって変換されたＤＣ電圧を再度平滑した後出力する。
【００５８】
フィードバック制御回路１３０ｅは、出力整流平滑回路から出力される電圧を安定化する。一般に、フィードバック制御回路１３０ｅは、出力電圧の誤差を増幅する誤差増幅器、増幅された誤差と三角波を比較して駆動パルスを生成する比較器、ＤＣ−ＤＣコンバータの主スイッチを駆動する駆動回路などで構成される。
【００５９】
保護回路１３０ｆは、フィードバック制御回路１３０ｅと並列に接続され、ＳＭＰＳを構成する回路を保護する機能を遂行する。
【００６０】
無論、上述の構成以外にも他の方式でＳＭＰＳを構成できる。
【００６１】
図５は、本発明の他の実施形態に係るＬＥＤ照明灯を示す。以下、図５を用いて本発明の一実施形態に係るＬＥＤ照明灯を構造について詳細に述べる。
【００６２】
図５によれば、ＬＥＤ照明灯は、２つのグループで構成されている。付け加えて説明すると、ＬＥＤ照明灯は長方形の形態で構成され、複数の列で構成され、各列にＬＥＤ素子が配置される。
【００６３】
ＬＥＤ照明灯は、奇数列と偶数列にそれぞれ配置されるＬＥＤ素子を含む。第１ＬＥＤ素子グループは、奇数列に配置されたＬＥＤ素子のうち奇数番目に位置するＬＥＤ素子と偶数列に配置されたＬＥＤ素子のうち偶数番目のＬＥＤ素子が含まれ、第２ＬＥＤ素子グループは、奇数列に配置されたＬＥＤ素子のうち偶数番目に位置するＬＥＤ素子と偶数列に配置されたＬＥＤ素子のうち奇数番目に位置するＬＥＤ素子が含まれる。
【００６４】
付け加えて説明すると、図５は、図１と違って第１ＬＥＤ素子グループに含まれたＬＥＤ素子と第２ＬＥＤ素子グループに含まれたＬＥＤ素子は互いに重ならない。
【００６５】
したがって、１つのＳＭＰＳを用いて第１ＬＥＤ素子グループに含まれたＬＥＤ素子を点灯したり第２ＬＥＤ素子グループに含まれたＬＥＤ素子を点灯できる。
【００６６】
特に、本発明のＬＥＤ照明灯の各グループに含まれるＬＥＤ素子は、ＬＥＤ照明灯の全体に均一に形成する。すなわち、第１グループに含まれるＬＥＤ素子は、ＬＥＤ照明灯に均一に形成され、第２グループに含まれるＬＥＤ素子はＬＥＤ照明灯に均一に形成される。このように、各グループに含まれるＬＥＤモジュールをＬＥＤ照明灯に均一に形成するために、ＬＥＤ素子に電流を供給する配線の一部は、ジグザグ形状で形成される。このように、ＬＥＤ照明灯内でＬＥＤ素子を均一に形成することによってＬＥＤ照明灯は全ての領域で均一な照度を有する。
【００６７】
図６は、本発明の一実施形態に係るＬＥＤ照明システムを示す。以下、図６を用いて本発明の一実施形態に係る他のＬＥＤ照明システムについて詳細に述べる。
【００６８】
図６によれば、ＬＥＤ照明システムは、リレー部、ＳＭＰＳ、及びＬＥＤ素子を含む。無論、上述の構成以外にも他の構成が本発明で提案するＬＥＤ照明システムに含まれることができる。
【００６９】
リレー部１２０は、外部から第１電源を提供されるか、または第２電源を提供される。また、リレー部１２０は、第２電源が供給されない場合も制御信号が入力されると第１電源をＳＭＰＳ１３０に提供する。
【００７０】
ＳＭＰＳ１３０は、外部に供給される交流電流を直流電流に変換させた後、ＬＥＤ素子１４０の条件に合った電圧に変換させてＬＥＤ素子１４０に供給する。上述のように、図６は図２とは違って、１つのＳＭＰＳを含み、ＳＭＰＳが第１グループに含まれたＬＥＤ素子１４０−１と接続するか、または第２グループに含まれたＬＥＤ素子１４０−２と接続される。したがって、ＳＭＰＳ１３０を用いて第１グループに含まれたＬＥＤ素子１４０−１を点灯するか、または第２グループに含まれたＬＥＤ素子１４０−２を点灯する。第１グループに含まれるＬＥＤ素子は、第１電源から供給された電源によって点灯し、第２グループに含まれたＬＥＤ素子は、第２電源から供給された電源によって点灯するか、または制御信号によって第１電源から供給された電源によって点灯される。すなわち、制御信号は第１電源を用いて第２グループに含まれたＬＥＤ素子を点灯する。
【００７１】
ＳＭＰＳ１３０は、ＳＭＰＳ１３０の駆動のためのバッテリが含まれる。
【００７２】
図７は、本発明の他の実施形態に係るリレー部の構成を示す図である。以下、図７を用いて本発明の他の実施形態に係るリレー部の構成について詳細に述べる。
【００７３】
図７によれば、第３リレー１２０ｆは、第１電源から電源を供給されるか、または第２電源から電源を供給される。第３リレー１２０ｆは、第１電源から電源が供給されると、第５電線を介して供給された電流を第１グループのＬＥＤ素子に供給する。第５電線は第１電源と第３リレーを接続する電線である。
【００７４】
リレー部は、第２電源と第３リレー１２０ｆを接続する第６電線を含み、第２電源と第３抵抗１２０ｇを接続する第７電線を含む。第３抵抗１２０ｇは第３リレー１２０ｆと接続される。
【００７５】
第２電源が供給されると、第３抵抗１２０ｇに電流が流れるようになり、これによって、第３リレー１２０ｆは第６電線に供給された電流を第２グループのＬＥＤ素子に供給する。
【００７６】
また、第２電源が供給されない状態で制御信号１２０ｅが入力されると、制御信号によって第３抵抗１２０ｇが駆動される。第３抵抗の駆動によって第３リレー１２０ｆが駆動し、これによって第５電線を介して供給された第１電源は第２グループのＬＥＤ素子に供給される。
【００７７】
このように、制御信号によって第１電源を用いて第２グループに含まれたＬＥＤ素子を点灯する。
【００７８】
図８は、本発明の一実施形態に係るＬＥＤ照明灯を構成するＰＣＢボードを示す。以下、図８を用いて本発明の一実施形態に係るＬＥＤ照明灯を構成するＰＣＢボードの構造について詳細に述べる。
【００７９】
図８で青色で表示された部分はＬＥＤ素子であって、図８に示すように、列単位で複数のＬＥＤ素子が配置されており、ＬＥＤ素子に電流を供給する電線がパターンの形態で形成される。図８に示すように、ＬＥＤ素子に電流を供給する配線の一部はジグザグ形状で形成される。また、上述のように、ＰＣＢボードは２つのグループに区分されており、各グループ毎にＬＥＤ素子が配置される。以下、図９乃至図１０を用いて各グループに含まれたＬＥＤ素子及びＬＥＤ素子に電流を供給する電線のパターンについて詳細に述べる。
【００８０】
図９は、本発明の一実施形態に係る第１グループに含まれたＬＥＤ素子及びＬＥＤ素子に電流を供給する電線のパターンを示す。以下、図９を用いて本発明の一実施形態に係る第１グループに含まれたＬＥＤ素子及びＬＥＤ素子に電流を供給する電線のパターンについて詳細に述べる。
【００８１】
図９によれば、第１グループに含まれたＬＥＤ素子は、奇数列と偶数列に配置され、特に奇数列と偶数列に一定間隔の単位で配置される。付け加えて説明すると、奇数列には第１グループに含まれたＬＥＤ素子と第２グループに含まれたＬＥＤ素子が交互に配置される。
【００８２】
以下、第１グループに含まれたＬＥＤ素子に電流を供給する電線のパターンについて述べる。第１グループ乃至第２グループに電流を供給する電線は並列形態に配置される。付け加えて説明すると、従来のＬＥＤランプを構成するＬＥＤ素子は直列形態に配置され、直列形態に配置されたＬＥＤ素子に供給する電流の量を調節して照度調節を行う。これに対して、本発明で提案するＬＥＤランプを構成するＬＥＤ素子を並列形態に配置し、並列形態に配置されたＬＥＤ素子に供給する電流をオン／オフする方式で照度調節を行う。すなわち、第１グループに含まれたＬＥＤ素子に電流を供給するか、または第２グループに含まれたＬＥＤ素子に電流を供給する。無論、少なくとも２つのグループに含まれたＬＥＤ素子に電流を供給できる。
【００８３】
第１グループの第１行に含まれたＬＥＤ素子に電流を供給するために第１配線と第２配線を形成し、第１グループの第２行に含まれたＬＥＤ素子に電流を供給するために第５配線と第６配線を形成する。第２配線は第１配線に比べて相対的に下段に位置し、第５配線は第２配線に比べて相対的に下段に位置する。また、第６配線は第５配線に比べて相対的に下段に位置する。
【００８４】
図９に示すように、第１配線と第６配線は直線形態で形成され、一方で、第２配線と第５配線はジグザグ形状で形成される。ジグザグ形状で形成されることで第１配線と第２配線の間の距離が相対的に遠ざかる領域内ではＬＥＤ素子が配置される。すなわち、ＬＥＤ素子は第１配線と第２配線の間に位置し、第１配線と第２配線と接続される。付け加えて説明すると、第１配線と第２配線の間のＬＥＤ素子を配置する空間を形成するために第２配線はジグザグ形状で形成される。
【００８５】
無論、第５配線と第６配線の間にＬＥＤ素子が位置し、第５配線と第６配線の間にＬＥＤ素子を配置する空間を形成する第５配線はジグザグ形状で形成される。
【００８６】
図１０は、本発明の一実施形態に係る第２グループに含まれたＬＥＤ素子及びＬＥＤ素子に電流を供給する電線のパターンを示す。以下、図１０を用いて本発明の一実施形態に係る第２グループに含まれたＬＥＤ素子及びＬＥＤ素子に電流を供給する電線のパターンについて詳細に述べる。
【００８７】
図１０によれば、第２グループに含まれたＬＥＤ素子は偶数列と奇数列に配置され、特に、偶数列と奇数列に一定間隔の単位で配置される。上述のように、奇数列には第１グループに含まれたＬＥＤ素子と第２グループに含まれたＬＥＤ素子が交互に配置される。
【００８８】
第２グループの第１行に含まれたＬＥＤ素子に電流を供給するために第２配線乃至第３配線を形成し、第２グループの第２行に含まれたＬＥＤ素子に電流を供給するために第４配線と第５配線を形成する。無論、上述のように、第３配線は第２配線に比べて下段に位置し、第４配線は第３配線に比べて下段に位置する。また、第５配線は第４配線に比べて下段に位置する。加えて、第２配線と第５配線は第１グループに含まれたＬＥＤ素子に電流を供給する第２配線と第５配線と同じである。
【００８９】
図１０に示すように、第３配線と第４配線は直線形態に形成され、一方で、上述のように、第２配線と第５配線はジグザグ形状で形成される。ジグザグ形状で形成されることで第２配線と第３配線の間の距離が相対的に遠ざかる領域内ではＬＥＤ素子が配置される。すなわち、ＬＥＤ素子は第２配線と第３配線の間に位置し、第２配線と第３配線と接続される。付け加えて説明すると、第２配線と第３配線の間のＬＥＤ素子を配置する空間を形成するために第２配線はジグザグ形状で形成される。
【００９０】
再度言及すると、第２配線は第１配線と第３配線の間に位置し、第１配線と第３配線は直線形態に配置され、一方で、第２配線はジグザグ形状に配置される。第２配線はＬＥＤ素子を介して第１配線と接続するか、または第３配線と接続される。
【００９１】
また、第４配線と第５配線の間にＬＥＤ素子が位置し、第４配線と第５配線の間にＬＥＤ素子を配置する空間を形成するために第５配線はジグザグ形状で形成される。
【００９２】
再度言及すると、第５配線は第４配線と第６配線の間に位置し、第４配線と第６配線は直線形態に配置され、一方で、第５配線はジグザグ形状に配置される。第５配線はＬＥＤ素子を介して第４配線と接続するか、または第６配線と接続される。
【００９３】
本発明は、図面に示す一実施形態を参照して説明されたが、これは例示的なものに過ぎず、本発明の属する技術分野における通常の知識を有する者であれば、これから多様な変形及び均等な他の実施形態が可能であることを理解できるであろう。
【符号の説明】
【００９４】
１２０      リレー部
１２０−１  第１リレー部
１２０−２  第２リレー部
１３０      ＳＭＰＳ
１３０−１  第１ＳＭＰＳ
１３０−２  第２ＳＭＰＳ
１４０      ＬＥＤ素子
１４０−１  第１ＬＥＤ素子
１４０−２  第２ＬＥＤ素子
【図１】
2018037396.tif 000003
【図２】
2018037396.tif 000004
【図３】
2018037396.tif 000005
【図４】
2018037396.tif 000006
【図５】
2018037396.tif 000007
【図６】
2018037396.tif 000008
【図７】
2018037396.tif 000009
【図８】
2018037396.tif 000010
【図９】
2018037396.tif 000011
【図１０】
2018037396.tif 000012